(57)【要約】【課題】所定の耐火性能は満たしつつ、重量を抑えることで、設計の自由度を向上することが可能な建材パネルを提供する。【解決手段】建材パネル１０は、建築物に取り付けられる板形状に形成され、グラスウールで形成された内部部材１１と、内部部材１１の外表面の少なくとも一部を覆う外部部材１２と、を備え、外部部材１２は、グラス不織布を硬化させたものであることを特徴とすることで、不燃材料であるグラスウールの少なくとも一部を、不燃材料であるグラス不織布を硬化させたもので覆った建材パネルを提供できる。【選択図】図２
0003229517.tif 000002
【実用新案登録請求の範囲】
【請求項１】
建築物に取り付けられる板形状の建材パネルであって、
グラスウールで形成された内部部材と、
前記内部部材の外表面の少なくとも一部を覆う外部部材と、を備え、
前記外部部材は、グラス不織布を硬化させたものであることを特徴とする建材パネル。
【請求項２】
前記内部部材は、１００ｋｇ／ｍ３〜１３０ｋｇ／ｍ３の密度のグラスウールであることを特徴とする請求項１に記載の建材パネル。
【考案の詳細な説明】
【技術分野】
【０００１】
本考案は、建築物に取り付けられる板形状の建材パネルに関する。
【背景技術】
【０００２】
建築物は、鉄筋コンクリート等で形成された構造体に、内装材が取り付けられる。このような内装材は、建築物の用途や、内部に設けられた部屋の大きさ等により、所定の耐火性能が求められる。
【０００３】
このような内装材の一例として、特許文献１には、並行する一対の側面板と一つの前面板からなる断面がコの字状の石膏ボード製ルーバー本体に軽鉄下地材でリップ溝形状の野縁が全長に渡って添着され、野縁が固定金具を介して溝形状の野縁受けに直交して取付られるルーバー材が提案されている。
【先行技術文献】
【特許文献】
【０００４】
【特許文献１】特開２０１８−２０４２６７号公報
【考案の概要】
【考案が解決しようとする課題】
【０００５】
しかしながら、石膏ボードは、所定の耐火性能は満たすものの、重量が嵩むとともに、加工性が低く、内装材として用いた場合に、設計の自由度が低下するという問題がある。
【０００６】
本考案は、上記の点に鑑みてなされたものであり、所定の耐火性能は満たしつつ、重量を抑えることで、設計の自由度を向上することが可能な建材パネルを提供することを目的とする。
【課題を解決するための手段】
【０００７】
（１）建築物に取り付けられる板形状の建材パネルであって、
グラスウールで形成された内部部材と、
前記内部部材の外表面の少なくとも一部を覆う外部部材と、を備え、
前記外部部材は、グラス不織布を硬化させたものであることを特徴とする建材パネル。
【０００８】
（１）の考案において、建築物に取り付けられる板形状の建材パネルは、内部部材と、外部部材と、を備える。
内部部材は、グラスウールで形成されている。
外部部材は、内部部材の外表面の少なくとも一部を覆い、グラス不織布を硬化させたものである。
【０００９】
（１）の考案によれば、不燃材料であるグラスウールの少なくとも一部を、不燃材料であるグラス不織布を硬化させたもので覆った建材パネルを提供できる。グラスウールは、所定の耐火性能（例えば、建築基準法施行令の技術的基準で定められている不燃性能、準不燃性能、難燃性能等）を満たすとともに、単位体積当たりの重量が、石膏ボードより軽く、また、加工性が、石膏ボードより高く、設計の自由度を向上できる。
【００１０】
また、グラスウールの外表面を、グラス不織布を硬化させたもので覆うことで、グラスウールの外表面の平滑性が向上するとともに、辺の角が立ち、デザイン性を向上させることが可能となる。また、グラスウールの外表面を、グラス不織布を硬化させたもので覆うことで、塗装や印刷の付着性と発色性が向上するので、より設計の自由度を向上できる。
【００１１】
したがって、所定の耐火性能は満たしつつ、重量を抑えることで、設計の自由度を向上することが可能な建材パネルを提供することができる。
【００１２】
（２）前記内部部材は、１００ｋｇ／ｍ３〜１３０ｋｇ／ｍ３の密度のグラスウールである（１）に記載の建材パネル。
【００１３】
（２）の考案によれば、内部部材を、１００ｋｇ／ｍ３〜１３０ｋｇ／ｍ３の密度のグラスウールで構成することで、建材パネルの内装材としての強度を維持しつつ、単位体積当たりの重量を、石膏ボードの半分以下の重量に抑えることが可能となる。
【考案の効果】
【００１４】
本考案によれば、所定の耐火性能は満たしつつ、重量を抑えることで、設計の自由度を向上することが可能な建材パネルを提供することができる。
【図面の簡単な説明】
【００１５】
【図１】本考案の一実施形態に係る建材パネルが適用された建築物の内装の一例を示す図である。
【図２】本考案の一実施形態に係る建材パネルの構成を説明する図である。図２（ａ）は、建材パネルの斜視図である。図２（ｂ）は、図２（ａ）に示す建材パネルのａａ断面図である。
【考案を実施するための形態】
【００１６】
以下、本考案の一実施形態を図面に基づいて説明する。以下の説明において、同一又は類似の構成には同一の符号を付し、その説明を省略又は簡略化する。
【００１７】
図１は、本考案の一実施形態に係る建材パネルが適用された建築物の内装の一例を示す図である。
【００１８】
建材パネル１０は、板形状に形成され、建築物に取り付けられる。建材パネル１０は、例えば、建築物の内装材として、建築物の天井に取り付けられる天井材、建築物の壁に取り付けられる壁材等の仕上げ材や装飾材として用いられる。
【００１９】
図１に示す例では、建材パネル１０は、建築物の天井の天井下地１００に取り付けられる垂直ルーバーとして、用いられている。図１に示す例では、建材パネル１０は、天井下地１００に、建材パネル１０が延びる方向（長手方向）と直交する方向（天井下地１００が延びる方向）に、所定間隔で複数配列されている。
【００２０】
図２は、本考案の一実施形態に係る建材パネルの構成を説明する図である。図２（ａ）は、建材パネルの斜視図である。図２（ｂ）は、図２（ａ）に示す建材パネルのａａ断面図である。
建材パネル１０は、内部部材１１と、外部部材１２と、を備える。
【００２１】
内部部材１１は、グラスウールで形成されている。詳細には、内部部材１１は、フェノール樹脂混入ガラス繊維板で形成されている。また、内部部材１１は、１００ｋｇ／ｍ３〜１３０ｋｇ／ｍ３の密度のグラスウールである。
【００２２】
外部部材１２は、内部部材１１の外表面の少なくとも一部を覆い、グラス不織布を硬化させたものである。詳細には、外部部材１２は、アクリル樹脂混入ガラス繊維不織布を、樹脂により硬化させたものである。
【００２３】
建材パネル１０は、外部部材１２の外表面に、塗装（例えば、アクリル樹脂系塗等）や印刷を施すことが可能である。
【００２４】
建材パネル１０は、取付金物２０が取り付けられ、取付金物２０により、建築物（例えば、図１に示す天井下地１００、躯体、屋根材等）に取り付けられる。
【００２５】
なお、建材パネル１０は、図２に示す例では、断面形状が長方形に形成され、断面形状の長辺方向の端部（上端側）に、取付金物２０が取り付けられ、図１に示すように、断面形状の長辺方向が上下方向に向くように、建築物に取り付けられている。しかしながら、建材パネル１０は、これに限らす、例えば、天井パネルとして用いる場合には、断面形状の短辺方向の端部（上端側）に、取付金物２０が取り付けられ、断面形状の短辺方向が上下方向に向くように、建築物に取り付けられる。また、建材パネル１０は、壁材として用いる場合には、断面形状の短辺方向の端部（上端側）に、取付金物２０が取り付けられ、断面形状の長辺方向が上下方向に向くように、建築物（例えば、躯体や壁下地）に取り付けられる。
【００２６】
また、取付金物２０は、建材パネル１０を建築物に取り付けられれば、任意の形状、構成とすることが可能である。例えば、建材パネル１０は、図２に示す例では、取付金物２０が埋め込まれているが、これに限らず、例えば、断面形状の短辺方向の端部（上端側）を、取付金物２０で保持してもよい。
【００２７】
また、建材パネル１０は、図２に示す例では、正面視で、長方形に形成されている。しかしながら、建材パネル１０は、これに限らす、例えば、正面視で、正方形、円形、楕円形、波形形状等のデザインされた特定の形状等の任意の形状とすることができる。
【００２８】
また、建材パネル１０は、図２に示す例では、上面視で、辺が直線形状の長方形に形成されている。しかしながら、建材パネル１０は、これに限らす、上面視で、例えば、辺が湾曲する形状や、屈折する形状等の任意の形状とすることができる。
【００２９】
また、建材パネル１０は、複数配列する場合、複数の建材パネル１０を互いに異なる形状としてもよい。具体的には、例えば、建材パネル１０を垂直ルーバーとして用いる場合に、建材パネル１０の上下方向の寸法を、隣接する建材パネル１０と連続的に、徐々に変化させることで、下方から視て、垂直ルーバーが全体として、波打っているようなデザインとすることが可能となる。このように、複数配列する場合、複数の建材パネル１０を互いに異なる形状とすることで、全体として、所定のデザインとすることが可能となる。
【００３０】
このように、建材パネル１０は、例えば、天井パネル、バッフル吸音板、垂直ルーバー、波形ルーバー、水平パネル、曲面パネル、無反射吸音天井板、デザインパネル、吸音間仕切り用パネル、吸音壁パネル等の天井材や壁材として、用いることができる。
【００３１】
このような建材パネル１０によれば、以下の作用効果を奏する。
内部部材１１の少なくとも一部を、不燃材料であるグラス不織布を硬化させたものである外部部材１２で覆った建材パネル１０を提供できる。内部部材１１を構成するグラスウールは、所定の耐火性能（例えば、建築基準法施行令の技術的基準で定められている不燃性能、準不燃性能、難燃性能等）を満たすとともに、単位体積当たりの重量が、石膏ボードより軽く、また、加工性が、石膏ボードより高く、設計の自由度を向上できる。
【００３２】
また、内部部材１１であるグラスウールの外表面を、外部部材１２であるグラス不織布を硬化させたもので覆うことで、グラスウールの外表面の平滑性が向上するとともに、辺の角が立ち、デザイン性を向上させることが可能となる。また、グラスウールの外表面を、グラス不織布を硬化させたもので覆うことで、塗装や印刷の付着性と発色性が向上するので、より設計の自由度を向上できる。
【００３３】
したがって、所定の耐火性能は満たしつつ、重量を抑えることで、設計の自由度を向上することが可能な建材パネル１０を提供することができる。
【００３４】
なお、本考案は、上記の実施形態に限定されるものではない。
【符号の説明】
【００３５】
１０    建材パネル
１１    内部部材
１２    外部部材
２０    取付金物
【図１】
0003229517.tif 000003
【図２】
0003229517.tif 000004